(57)【特許請求の範囲】
【請求項１】
乾燥される穀物の設定水分値を一定範囲内で設定するように操作される設定水分値用調整具を設け、穀物の乾燥状態を調整するように操作される乾燥制御用調整具を設けた穀物乾燥機の制御装置において、前記設定水分値用調整具が最大位置まで操作され且つ前記乾燥制御用調整具が操作された場合には前記一定範囲を越えた拡大設定範囲内で前記設定水分値を設定させる制御手段を設けたことを特徴とする穀物乾燥機の制御装置。
【請求項２】
前記制御手段は、前記拡大設定範囲で設定された設定水分値を不揮発性のメモリ素子で構成された記憶部に記憶させることを特徴とする請求項１に記載の穀物乾燥機の制御装置。
【請求項３】
前記制御手段は、前記一定範囲から前記拡大設定範囲への変更を機種設定スイッチと連動して有効・無効にすることを特徴とする請求項１に記載の穀物乾燥機の制御装置。
【発明の詳細な説明】
【０００１】
【発明の属する技術分野】
この発明は、穀物乾燥機の制御装置に係り、特に乾燥される穀物を設定水分値に制御する穀物乾燥機の制御装置に関する。
【０００２】
【従来の技術】
穀物乾燥機においては、乾燥される穀物の設定水分値を一定範囲内で設定するように操作される設定水分値用調整具として、設定水分ツマミ（ボリウム）やスイッチ等を設け、また、穀物の乾燥状態を調整するように操作される乾燥制御用調整具等として、タイマ等を設けた制御装置が備えられている。
【０００３】
設定水分ツマミは、コントロールボックスの操作パネルに設けられ、例えば、自動水分計の設定水分値を一定範囲（１１〜２０％）内で設定変更可能なものであり、設定水分値の設定が容易で且つ視覚でも診断し易い反面、上述の一定範囲が限られているものである。一方、スイッチは、設定水分値を増減させるものであり、上述の一定範囲を自由に設定することが可能であるが、表示器を見ながらの設定水分値の設定になるので、その作業が煩わしくなるとともに、その設定水分値を記憶部（ＥＥＰＲＯＭ）に保存する必要がある。
【０００４】
また、籾の乾燥にあっては、設定水分値が、例えば、１３〜１６％の範囲で良く用いられ、設定水分値を０．１％刻みで設定が可能で、微調整も重ねており、それ以外の範囲では０．５％の単位の設定になっている。
【０００５】
【発明が解決しようとする課題】
ところが、小麦の乾燥にあっては、個人農家とカントリーとの分業が進んでいる地域では、その年の刈取りの進行状況や天候を考慮し、カントリーが受入れる水分値が１５〜３０％位に変わるので、設定水分ツマミによる設定水分値の設定が不可能になるという不都合があった。また、スイッチによる設定水分値の設定では、表示器を見ながらの増減操作をしなければならないので、その作業が煩雑になってしまうという不都合があった。
【０００６】
【課題を解決するための手段】
そこで、この発明は、上述の不都合を除去するために、乾燥される穀物の設定水分値を一定範囲内で設定するように操作される設定水分値用調整具を設け、穀物の乾燥状態を調整するように操作される乾燥制御用調整具を設けた穀物乾燥機の制御装置において、前記設定水分値用調整具が最大位置まで操作され且つ前記乾燥制御用調整具が操作された場合には前記一定範囲を越えた拡大設定範囲内で前記設定水分値を設定させる制御手段を設けたことを特徴とする。
【０００７】
【発明の実施の形態】
この発明は、通常に利用する一定範囲内で設定水分値を設定する場合には、設定水分値用調整具で設定水分値を設定するので、その設定水分値の設定を素早く且つ簡単に行わせることができ、一方、設定水分値を一定範囲以外に設定した場合には、設定水分値用調整具を最大位置まで操作し且つ乾燥制御用調整具を操作すると、上述の一定範囲を越えた拡大設定範囲内に設定水分値を設定させることができ、これにより、例えば、小麦の乾燥において水分値が変わって上述の一定範囲内で対処することができない場合でも、設定水分値を拡大設定範囲内で変更させ、ユーザの多様な使用に対処させることができ、また、その拡大設定範囲への変更を簡単な構成で且つ容易に行わせることができる。
【０００８】
【実施例】
以下図面に基づいてこの発明の実施例を詳細且つ具体的に説明する。図１〜５は、この発明の実施例を示すものである。図２において、２は穀物乾燥機、４はこの穀物乾燥機２を駆動する制御装置である。
【０００９】
穀物乾燥機２は、送風モータ６と排塵モータ８と搬送モータ１０と循環モータ１２とバーナ１４とを備え、穀物の乾燥運転時に、搬送モータ１０及び循環モータ１２によって穀物を循環させながらバーナ１４及び送風モータ６によって発生した熱気を供給して穀物を乾燥させ、また、排塵モータ８によって塵埃を排出するものである。
【００１０】
この穀物乾燥機２には、図３に示す如く、コントロールボックス１６が設置されている。
【００１１】
このコントロールボックス１６にあっては、操作パネル１８に、電源スイッチ部２０が設けられ、運転スイッチ部２２が設けられ、乾燥条件設定部２４が設けられ、穀物種選択部２６と乾燥状態選択部２８とタイマ部３０と送風切換部３２と掃除スイッチ部３４と水分計手動測定部３６とデータ部３８とを備えた乾燥制御用調整具４０が設けられ、そして、表示器４２が設けられている。
【００１２】
電源スイッチ部２０には、穀物乾燥機２の電源をオン・オフするパワースイッチ４４が設けられている。
【００１３】
運転スイッチ部２２には、運転ボタン４６としての張込ボタン４８と乾燥ボタン５０と排出ボタン５２とが設けられ、また、停止ボタン５４が設けられている。この運転スイッチ部２２にあっては、運転ボタン４６によって乾燥作業状態を選択するとともに、停止ボタン５４によって穀物乾燥機２の運転を停止する。
【００１４】
乾燥条件設定部２４には、張込まれる穀物量を設定する穀物量設定ツマミ（ボリウム）６と希望する仕上り水分値である設定水分値を一定範囲（１１〜２０％）内に設定する設定水分値調整具である設定水分ツマミ（ボリウム）５８とが設けられている。この設定水分ツマミ５８は、乾燥される穀物の設定水分値を一定範囲（１１〜２０％）内に設定するものである。
【００１５】
穀物種選択部２６には、穀物の種類を選択する穀物選択ボタン６０が設けられている。乾燥状態選択部２８には、乾燥方法を選択する乾燥選択ボタン６２が設けられている。
【００１６】
タイマ部３０は、上述の如く、乾燥制御用調整具４０の一つを構成するものである。このタイマ部３０には、運転時間を調整するように、時間増ボタン６４と時間減ボタン６６と時間設定ボタン６８とが設けられている。
【００１７】
送風切換部３２には、送風を行いたい時に操作される送風切換ボタン７０が設けられている。
【００１８】
掃除スイッチ部３４には、残留穀物を排出させるように指示する掃除ボタン７２が設けられている。
【００１９】
水分手動測定部３６には、水分値を手動で測定可能とするようにするコメットボタン７４が設けられている。
【００２０】
データ部３８には、乾燥中の温度や水分値等のデータを表示器４２に表示させるように指示するデータボタン７６が設けられている。
【００２１】
表示器４２には、乾燥データとして、設定温度、水分値、乾燥時間等を表示するメイン表示部７８と、水分バラツキ表示部８０と、未熟米表示部８２とが設けられている。
【００２２】
図２に示す如く、運転スイッチ部２２と穀物量設定ツマミ５６と設定水分ツマミ５８と穀物種選択部２６とタイマ部３０と表示器４２とは、制御装置４の制御手段（マイコン）８４に連絡している。また、この制御手段８４には、緊急時に運転を停止する安全装置８６と穀物の温度を検出する温度センサ８８と穀物の水分値を測定する水分計９０とが連絡している。
【００２３】
また、制御手段８４には、送風モータ６と排塵モータ８とを駆動する第１の駆動回路９２と、搬送モータ１０を駆動する第２の駆動回路９４と、循環モータ１２を駆動する第３の駆動回路９６と、バーナ１４を駆動する第４の駆動回路９８と、不揮発正のメモリ素子で構成された記憶部（ＥＥＰＲＯＭ）１００とが連絡している。この記憶部１００は、電源が切れても、設定水分値を記憶させることができるものである。
【００２４】
制御手段８４は、設定水分ツマミ５８が最大位置（２０％）になるまで操作されて（図４参照）、タイマ部３０の時間増、時間減ボタン６４、６６が押されて操作されると（図５参照）、設定水分値の一定範囲（１１〜２０％）を拡大設定範囲（例えば２０〜３３％）に変更させるものである。このとき、時間増、時間減ボタン６４、６６の操作により、設定水分値を拡大設定範囲（例えば２０〜３３％）内で１％毎に増減することができる。
【００２５】
また、制御手段８４には、機種設定スイッチ１０２が連絡されている。
【００２６】
次に、この実施例の作用を、図１のフローチャートに基づいて説明する。
【００２７】
制御手段８４のプログラムがスタートをすると（ステップ２０２）、先ず、設定水分ツマミ５８が操作されて変更したか否かを判断する（ステップ２０４）。
【００２８】
このステップ２０４でＮＯの場合には、この判断を継続する。
【００２９】
ステップ２０４でＹＥＳの場合には、この設定水分ツマミ５８で設定された設定水分値を表示器４２に表示させる（ステップ２０６）。
【００３０】
そして、設定水分ツマミ５８が最大位置（２０％）か否かを判断する（ステップ２０８）。
【００３１】
このステップ２０８でＮＯの場合には、その設定水分値を５秒間だけ表示器４２で表示させ（ステップ２１０）、そして、この表示した設定水分値を消去する（ステップ２１２）。
【００３２】
一方、ステップ２０８がＹＥＳの場合には、設定水分値を拡大設定範囲（２０〜３３％）に変更するのに有効な機種か否かで、機種設定スイッチ１０２がオンか否かを判断する（ステップ２１４）。
【００３３】
このステップ２１４でＮＯの場合には、ステップ２１０に移行させる。
【００３４】
ステップ２１４がＹＥＳの場合には、前回の設定水分値を表示器４２で表示させ（ステップ２１６）、そして、時間増、時間減ボタン６４、６６が押されたか否かを判断する（ステップ２１８）。
【００３５】
このステップ２１８でＮＯの場合には、ステップ２１０に移行させる。
【００３６】
ステップ２１８でＹＥＳの場合には、拡大設定範囲の設定水分値を表示器４２で表示させるとともに、記憶部１００に記憶させ（ステップ２２０）、そして、ステップ２１０に移行させる。
【００３７】
つまり、設定水分ツマミ５８が、「切」・「１１〜２０％」の一定範囲では、通常に、表示器４２を見ながら設定水分ツマミ５８を回して設定水分値を設定する。
【００３８】
一方、小麦等で水分が異なる場合には、設定水分ツマミ５８を最大位置の２０％の位置まで回し切り、そして、設定水分値を拡大設定範囲（例えば、２０〜３３％）内に変更したい場合には、表示器４２でその設定水分値が表示されている間（５秒間）に、時間増ボタン６４を押すと、１％の単位で設定水分値が３３％まで上がる。このとき、一度設定した設定水分値を変更する場合には、設定水分ツマミ５８を回して設定水分値を表示器４２に表示させながら回し切った最大位置に戻し、その状態で５秒以内に設定の操作を始める。一方、拡大設定範囲内で、設定水分値を下げたい場合には時間減ボタン６６を押せば、設定水分値が１％の単位で下がる。ただし、このとき、設定水分値の下限は、２０％である。
【００３９】
そして、新しい設定水分値が表示器４２に５秒間表示され、その後、表示器４２が通常の表示状態に戻り、穀物の乾燥中には、表示器４２が温度水分、周囲温度等を表示する。
【００４０】
この結果、通常に使用する一定範囲（１１〜２０％）を設定水分ツマミ５８で素早く且つ簡単に設定することが可能であり、さらに、その一定範囲を超えた拡大設定範囲（２０〜３３％）に設定水分値を変更することができるので、ユーザの多様な使用に対処させることができる。
【００４１】
また、通常、穀物乾燥機２に備えられている設定水分ツマミ５８やタイマ部３０で設定水分値の変更をすることができるので、別途にスイッチ類を不要とし、構成の複雑化を回避するとともに、廉価とすることができる。
【００４２】
更に、機種設定スイッチ１０２によって拡大設定範囲に変更するか否かを判断させるので、小型の穀物乾燥機等でニーズが少ない場合に、拡大設定範囲（２０〜３３％）への選択を容易にさせることができる。
【００４３】
更にまた、設定水分値を不揮発性のメモリ素子からなる記憶部１００に記憶させるので、電源が切れても設定水分値を記憶させておくことができ、簡便である。
【００４４】
【発明の効果】
以上詳細な説明から明らかなようにこの発明によれば、設定水分値用調整具が最大位置まで操作され且つ乾燥制御用調整具が操作された場合には一定範囲を越えた拡大設定範囲内で設定水分値を設定させる制御手段を設けたことにより、例えば、小麦の乾燥において水分値が変わって一定範囲内で対処することができない場合でも、設定水分値を拡大設定範囲内で変更させ、ユーザの多様な使用に対処させることができ、また、その拡大設定範囲への変更を簡単な構成で且つ容易に行わせ得る。
【図面の簡単な説明】
【図１】穀物乾燥制御のフローチャートである。
【図２】穀物乾燥機の制御装置のブロック図である。
【図３】コントロールボックスの操作パネルの正面図である。
【図４】設定水分ツマミを最大位置に操作した状態を示す図である。
【図５】タイマ部の操作状態を示す図である。
【符号の説明】
２  穀物乾燥機
４  制御装置
１６  コントロールボックス
１８  操作パネル
２４  乾燥条件設定部
３０  タイマ部
４２  表示器
５８  設定水分ツマミ
８４  制御手段
１００  記憶部
１０２  機種設定スイッチ
【図１】
0003646527.tif 000002
【図２】
0003646527.tif 000003
【図３】
0003646527.tif 000004
【図４】
0003646527.tif 000005
【図５】
0003646527.tif 000006